(57)【特許請求の範囲】
【請求項１】
箱型のシャーシと前記シャーシの開口部を覆うパッキングとでプリント基板を収容し、前記パッキングがさらにフロントケースで覆われる無線機において、前記パッキングに前記シャーシの側面全周に圧接される凸条を設け、前記パッキングとフロントケースとの間に介装される板金ケースの内寸法により前記パッキングの凸条のつぶし代が決定されるように構成した携帯無線機の防水構造。
【請求項２】
前記パッキングの凸条を楔形状とした請求項１の携帯無線機の防水構造。
【発明の詳細な説明】
【技術分野】
【０００１】
この発明は携帯無線機に係わり、特に、その防水構造に関する。
【背景技術】
【０００２】
従来の携帯無線機の防水構造の例を図３および図４により説明する。図に示すシャーシ１とフロントケース５はＲＦプリント基板２、制御プリント基板３およびパッキング４を中に入れるようにして締着される。このように組立てられた状態で、制御プリント基板３に組み付けられた表示装置はパッキング４およびフロントケース５の窓を通して外部に露出する。
【０００３】
また、パッキング４に形成された操作つまみはフロントケース５の穴から露出し、この操作つまみを操作することにより操作つまみの裏面に形成された導電膜が制御プリント基板３に設けられた接点を開閉する。パッキング４の内周には図４に示すように楔形状の凸条４ａが形成されている。
【０００４】
この凸条４ａは図４では変形していない状態に描かれているがフロントケース５によりシャーシ１の外側面に圧接されて押しつぶされた状態となる。なお、図４に示すバッテリ６はシャーシ１に嵌着され、ＲＦプリント基板２および制御プリント基板３に電流を供給する。この防水構造ではパッキング４の凸条４ａがフロントケース５によりシャーシ１に圧接されることにより防水性能を得ている。
【０００５】
上記した従来の携帯無線機の防水構造では、パッキング４の凸条４ａのつぶし代の寸法により防水性能が大きい影響を受ける。すなわち、フロントケース５の中心から内側面までの寸法（図４に示すＷ）が防水性能に影響する。なお、一般に凸条４ａのつぶし代は０．２ｍｍ〜０．４ｍｍ程度である。
【０００６】
フロントケース５は通常樹脂で作られているため寸法に影響を及ぼす要因として、例えば、材料の乾燥状態、金型温度、射出速度、収縮率等の多くの要因があり、寸法管理が困難であり、寸法のばらつきにより十分な防水性能が得られないという問題があった。
【０００７】
さらに、試作品を制作する場合には、コストを安くするために簡易注型を用いると注型の耐久性や耐熱性の問題により、本金型で用いる樹脂材料が使用できず、一般に別の材料が使用されるが、この場合寸法は同じにできても材料の機械的特性が異なるため強度面での評価ができないという問題があった。
【０００８】
試作品を切削で作る場合は、寸法や材料を合わせられても、成形品と比べて樹脂の結晶の並びや方向性が異なるため、強度面での評価ができなかった。そして、削り出しは非常に高価であるため、試作では簡易注型が用いられる現状であった。
【０００９】
上記した従来の携帯無線機の防水構造では、さらに、筐体周辺からの電磁波放射いわゆる筐体ラジエーションの問題が発生することがあった。また、フロントケース５に衝撃力が加わると、その力がパッキング４を介して直接プリント基板に伝わり電気部品が破損することがあった。
【００１０】
上記問題を解決するためにフロントケースをダイカストで形成することもあったが、フロントケースをダイカストで作ると次のような問題が発生する。（ａ）無線機は４〜５Ｗの出力があり、その熱をシャーシで放熱するが、フロントケースがダイカストであると、フロントケースに熱が伝わり手で持てない程熱くなることがある。（ｂ）ダイカストは樹脂程ではないが、成形条件により寸法のばらつきが生じる。（ｃ）ダイカストは金属色であるため塗装する必要がある。（ｄ）ダイカスト金型は溶損等の問題から樹脂のような複雑な形状にすることが困難でデザイン上の制約が大きい。
【００１１】
特開２０００−５９８７３号公報に提案されたマイクロホンケースの防水構造は、ゴム性のパッキングの弾力によりパッキングの鰭状部がケースの内面に圧接されて防水状態が保たれる。この防水構造ではゴムの弾力により鰭状部をケースに圧接するために十分な圧接力が得られず防水できる水圧を高くすることができなかった。
【特許文献１】特開２０００−５９８７３号公報、段落０００９、図２
【発明の開示】
【発明が解決しようとする課題】
【００１２】
この発明は上記した点に鑑みてなされたものであって、その目的とするところは、樹脂製のフロントケースを用いた携帯無線機において、確実に十分な防水性能が得られ、筐体ラジエーションの問題が発生することのない防水構造を提供することにある。
【課題を解決するための手段】
【００１３】
この発明の携帯無線機の防水構造は、箱型のシャーシと前記シャーシの開口部を覆うパッキングとでプリント基板を収容し、前記パッキングがさらにフロントケースで覆われる無線機において、前記パッキングに前記シャーシの側面全周に圧接される凸条を設け、前記パッキングとフロントケースとの間に介装される板金ケースの内寸法により前記パッキングの凸条のつぶし代が決定されるように構成したものである。
【００１４】
また、前記携帯無線機の防水構造において、前記パッキングの凸条を楔形状としたものである。
【発明の効果】
【００１５】
この発明の携帯無線機の防水構造によれば、樹脂製のフロントケースを用いながらも確実に十分な防水性能が得られる。
【発明を実施するための最良の形態】
【００１６】
以下この発明を実施するための最良の形態を実施例に即して説明する。図１はこの発明の実施例である携帯無線機の防水構造を示す分解斜視図、図２は同防水構造を示す部分断面図である。
【００１７】
図１および図２において図３および図４で説明した部材と同一の機能を有する部材は同一の符号が付されておりその詳細な説明を省略する。実施例の防水構造ではフロントケース５とパッキング４との間に箱形の板金ケース７が介装されている。なお、図２に現れない場所でフロントケース５と板金ケース７との間にダンパーが挟み込まれている。
【００１８】
パッキング４の凸条４ａは楔形状であり、図４と同様に変形していない状態に描かれているが、板金ケース７によりシャーシ１の外側面に圧接されて押しつぶされた状態となる。すなわち、この防水構造ではパッキング４の凸条４ａが板金ケース７によりシャーシ１に圧接されることにより防水性能を得ている。
【００１９】
板金ケース７の中心から内側面までの寸法（図２に示すＹ）は板金ケース７を絞り金型で成形すれば安定する。シャーシ１も金属であるために正確な寸法に仕上げることができる。従ってシャーシ１と板金ケース７の内法との寸法が正確となり凸条４ａのつぶし代を最適値として十分な防水性能が得られる。なお、押しつぶされる凸条４ａが楔形状であるため、つぶし代が多少変化しても圧接力が安定し、従って、防水性能が安定するという効果が得られる。
【００２０】
なお、試作品を製造する場合、樹脂と異なり板金の材料は製品の材料と同じであるため、簡易金型を製作すれば、試作品の段階から最終製品に近い状態で防水性能を確認することができる。
【００２１】
また、制御プリント基板３が金属である板金ケース７で覆われるため、筐体ラジエーションの発生を防止できる。さらに、制御プリント基板３が板金ケース７で覆われるため、フロントケース５の撓みが直接制御プリント基板３に伝わらず、実施例のようにフロントケース５と板金ケース７との間にダンパーが挟み込まれていれば、制御プリント基板３等への落下衝撃の伝達が軽減され故障が防止される。
【００２２】
さらに、筐体ラジエーション等の電気性能や防水性能がフロントケース５に頼らずに得られるため、フロントケース５の設計の自由度が増して、意匠面でのバリエーションを確保することができる。そして、金属部が外部に現れないため熱くて持てなくなることがない。
【図面の簡単な説明】
【００２３】
【図１】この発明の実施例である携帯無線機の防水構造を示す分解斜視図である。
【図２】同防水構造を示す部分断面図である。
【図３】従来の携帯無線機の防水構造の例を示す分解斜視図である。
【図４】同防水構造を示す部分断面図である。
【符号の説明】
【００２４】
１  シャーシ
２  ＲＦプリント基板
３  制御プリント基板
４  パッキング、４ａ  凸条
５  フロントケース
６  バッテリ
７  板金ケース
【図１】
0004441453.tif 000002
【図２】
0004441453.tif 000003
【図３】
0004441453.tif 000004
【図４】
0004441453.tif 000005